(57)【特許請求の範囲】
【請求項１】
歌唱映像を撮影するための撮影装置を備えたカラオケルームに設置され、少なくともカラオケ演奏データを再生してカラオケ演奏を行うカラオケ端末と、カラオケ演奏に合わせた歌唱に使用するマイクロホンとを少なくとも有するカラオケシステムであって、
前記マイクロホンは、前記歌唱映像の撮影のための歌唱者の顔領域を照明する発光手段を備え、
前記カラオケ端末は、
前記カラオケ演奏データから歌唱区間情報を検出する検出手段と、
前記検出した歌唱区間情報に基づいて前記発光手段の点灯及び消灯を制御する照明制御手段と、
を備えることを特徴とするカラオケシステム。
【請求項２】
請求項１記載のカラオケシステムであって、前記発光手段は、発光素子による照明角度を調節する調節手段を備えることを特徴とするカラオケシステム。
【請求項３】
請求項１又は２記載のカラオケシステムであって、
前記カラオケ端末は、少なくとも生年月日情報または性別情報を含む利用者情報を取得する利用者情報取得手段を備え、
前記照明制御手段は、前記取得した利用者情報に基づいて前記発光手段の少なくとも輝度または色調を制御することを特徴とするカラオケシステム。
【請求項４】
請求項１又は２記載のカラオケシステムであって、
前記カラオケ端末は、カラオケ歌唱に対する採点区間毎に採点する採点手段を備え、
前記照明制御手段は、前記採点手段による採点結果に応じて、前記発光手段の少なくとも輝度または色調を制御することを特徴とするカラオケシステム。
【発明の詳細な説明】
【技術分野】
【０００１】
本発明は、利用者にマイクロホンを使用させてカラオケ歌唱させるカラオケの基本機能を備えるカラオケシステムに関する。
【背景技術】
【０００２】
近年、カラオケ装置の高機能化が進み、例えばカラオケルームで利用者が歌唱する様子を撮影し、背景映像としてディスプレイに表示したり、録画して動画として公開したり、また、公開された動画をダウンロードして再生しながら合唱する様子を新たに録画し、先の動画と組み合せて公開するサービスを提供することができるようになり、カラオケ演奏を再生するだけでなく、利用者の歌唱を録音したり歌唱映像を録画したりすることも、カラオケシステムの重要な機能の一つになってきている。そのため、利用者に対するより完成度の高い歌唱映像の撮像、録画を可能とすることが望まれる。
【０００３】
従来、利用者による歌唱を録音する場合には、利用者の歌唱力が一定の水準に達していれば、録音品質を高めることはそれほど難しくはないが、歌唱映像の録画には利用者の容姿や動き（振り付け）以外にも重要な要素があり、照明装置もその一つとなっている。例えば、歌唱している利用者の動きを追尾して利用者に照明装置よりスポット照明を当て、ビデオカメラで常に利用者を捉えるよう制御する技術が知られている（特許文献１）。
【０００４】
一方、カラオケ歌唱に用いられるマイクロホンに関して、一般的なワイヤレス・マイクロホンは通信のための赤外線発光素子を備え、歌唱音声を集音するだけでなく、付加的な機能として発光素子を備えたマイクロホンが種々提案されている。例えば、マイクロホンにマーカ光を発生させる発光素子を備えさせ、全周カメラで撮影している映像の中からマーカ光を発生させているマイクロホンの位置を特定し、ひいては歌唱者を特定する技術が知られている（特許文献２）。
【０００５】
また、マイクロホンに測距手段として発光素子と受光素子を備え、利用者の口との距離に応じてスイッチをオン、オフさせる技術も知られている（特許文献３）。さらに、例えば、利用者のカラオケ歌唱をリアルタイムに補助する報知手段として、マイクロホンに振動素子や発光素子を備えさせた技術も知られている（特許文献４）。さらにまた、例えば、入力音声の音圧レベルに応じて光度や点滅速度を変化させる演出手段として、発光素子を備えたマイクロホンも知られている（特許文献５）。
【先行技術文献】
【特許文献】
【０００６】
【特許文献１】特開平１１−０２４６８４号公報
【特許文献２】特開２０１２−０２７３３９号公報
【特許文献３】特開平０７−３０７９８９号公報
【特許文献４】特開２００２−２３６４９３号公報
【特許文献５】特開平０９−０９３６８０号公報
【発明の概要】
【発明が解決しようとする課題】
【０００７】
しかしながら、カラオケルームの利用者の歌唱映像を撮影する場合に特許文献１，２に開示されている技術を用いることでより完成度の高い映像を録画することができるが、自動追尾システムでパンやチルトを自動制御するビデオカメラや照明装置は、一般的なカラオケルームの設備としてはコスト、メンテナンス、運用共に現実的ではない。また、特許文献３〜５のような、これまで発光素子を備えたマイクロホンに関する技術が種々開示されているが、歌唱映像の撮影のための照明用としては不向きであり、完成度の高い歌唱映像を撮像して録画させるためには、結局特許文献１のような照明装置に委ねる必要があるという問題がある。
【０００８】
そこで、本発明は上記課題に鑑みなされたもので、確実に利用者の顔に照明を当て、より完成度の高い歌唱映像を撮影、録画を可能とするカラオケシステムを提供することを目的とする。
【課題を解決するための手段】
【０００９】
上記課題を解決するために、請求項１の発明では、歌唱映像を撮影するための撮影装置を備えたカラオケルームに設置され、少なくともカラオケ演奏データを再生してカラオケ演奏を行うカラオケ端末と、カラオケ演奏に合わせた歌唱に使用するマイクロホンとを少なくとも有するカラオケシステムであって、前記マイクロホンは、前記歌唱映像の撮影のための歌唱者の顔領域を照明する発光手段を備え、前記カラオケ端末は、前記カラオケ演奏データから歌唱区間情報を検出する検出手段と、前記検出した歌唱区間情報に基づいて前記発光手段の点灯及び消灯を制御する照明制御手段と、を備える構成とする。
【００１０】
請求項２の発明では、「前記発光手段は、発光素子による照明角度を調節する調節手段を備える」構成とする。
【００１１】
請求項３，４の発明では、「前記カラオケ端末は、少なくとも生年月日情報または性別情報を含む利用者情報を取得する利用者情報取得手段を備え、前記照明制御手段は、前記取得した利用者情報に基づいて前記発光手段の少なくとも輝度または色調を制御する」構成とし、
「前記カラオケ端末は、カラオケ歌唱に対する採点区間毎に採点する採点手段を備え、前記照明制御手段は、前記採点手段による採点結果に応じて、前記発光手段の少なくとも輝度または色調を制御する」構成とする。
【発明の効果】
【００１２】
請求項１，２の発明によれば、歌唱映像を撮影するための撮影装置を備えたカラオケルームに設置されるもので、少なくともカラオケ演奏データを再生してカラオケ演奏を行うカラオケ端末及びカラオケ演奏に合わせた歌唱に使用するマイクロホンを少なくとも有し、当該マイクロホンに、適宜発光素子による照明角度を調節する調節手段を備えて歌唱映像の撮影のための歌唱者の顔領域を照明する発光手段が設けられ、歌唱区間情報に基づいて発光手段の点灯及び消灯を制御する構成とすることにより、マイクロホンに設けられた発光手段で撮影用照明を可能とし、適宜簡易な照明照射角度を調節可能としていることから、確実に利用者の顔に照明を当てることができ、より完成度の高い歌唱映像を撮影し録画することができるものである。
【００１３】
請求項３，４の発明によれば、照明制御手段が、利用者情報に基づいて発光手段の少なくとも輝度または色調を制御したり、若しくは、採点手段による採点結果に応じて、発光手段の少なくとも輝度または色調を制御する構成とすることにより、年齢や性別などの歌唱者に合った照明効果を行ったり、歌唱の出来不出来に合った照明を行うことができ、より演出効果や完成度の高い歌唱映像を撮影し録画することができるものである。
【図面の簡単な説明】
【００１４】
【図１】本発明に係るカラオケシステムのブロック構成図である。
【図２】図１のマイクロホンの説明図である。
【図３】図１のマイクロホンのブロック構成図である。
【図４】図１のサーバの説明図である。
【図５】カラオケシステムにおけるログイン時のフローチャートである。
【図６】図２及び図３のマイクロホンの備える発光素子の発光制御に関するフローチャートである。
【図７】図６の発光形態、照明タイミングの説明図である。
【図８】マイクロホンにおける発光制御信号に応じた発光の処理フローチャートである。
【図９】マイクロホンにおける発光素子の発光テストに関するフローチャートである。
【図１０】図７の照明タイミングの他の設定におけるカラオケシステムの一部ブロック図である。
【発明を実施するための形態】
【００１５】
以下、本発明の実施形態を図により説明する。
図１に、本発明に係るカラオケシステムのブロック構成図を示す。図１において、カラオケシステム１１は、主要装置としてのカラオケ端末１２に、有線又は無線で外部接続されるものとして、表示部１３、ミキシングアンプ１４、マイクロホン１５、スピーカ１６、遠隔入出力装置１７が接続される。
【００１６】
上記表示部１３は、通常の楽曲選曲表示やカラオケ演奏時の背景映像等を表示するもので、例えば液晶ディスプレイ（ＬＣＤ）、プラズマディスプレイ（ＰＤＰ）、その他種々のディスプレイを採用することができる。
【００１７】
上記ミキシングアンプ１４は、いわゆるデジタルミキサであり、ミキシング処理、イコライジング処理、エフェクト処理を行うＤＳＰ（Ｄｉｇｉｔａｌ  Ｓｉｇｎａｌ  Ｐｒｏｃｅｓｓｏｒ）を備え、スピーカ１６のライン系統にはＤ／Ａ変換部、増幅部が設けられ、マイクロホン１５のライン系統には、当該マイクロホン１５がワイヤレス型を使用するものとして受信部、Ａ／Ｄ変換部が設けられる。当該Ａ／Ｄ変換部からの出力はＤＳＰの入力用バスに入力されると共に、後述するカラオケ端末１２の採点手段２７に入力されるものである。
【００１８】
マイクロホン１５は、詳細を図２及び図３で説明するが、ワイヤレス型を使用するものとして、音声を集音してミキシングアンプ１４に無線送信する基本構成を備える。加えて、歌唱映像の撮影のための歌唱者の顔領域を照明する発光手段（図２及び図３に示す調節手段（ヒンジ機構７６）及び発光素子（光源７８、拡散レンズ７９））を備えると共に、内部構成として、発光制御のための照明制御部（８３）及びカラオケ端末１２より送信される照明制御信号を受信する照明制御受信部（８４）を備える。なお、ミキシングアンプ１４への送信周波数と、カラオケ端末１２からの受信周波数とは、当然ながら異なる周波数で設定される。
【００１９】
上記遠隔入出力装置１７は、図示しない端末送受信部により、カラオケ端末１２に対して有線方式ないし無線方式（ＩＲ方式やブルートゥース（登録商標）機構のピコネット接続方式など）を利用してデータ授受を行うためのもので、少なくともログイン・ログアウト処理手段１７Ａ及び楽曲検索手段である選曲楽曲登録手段１７Ｂを適宜備える。なお、遠隔入出力装置１７は、図示しないが、液晶ディスプレイ（ＬＣＤ）とタッチセンサとを積層して入出力用とし、表示されるアイコン等に対応して当該タッチセンサにより楽曲の選択などのデータを入力することができるＧＵＩのユーザインタフェース機能を有する表示手段を備える
【００２０】
上記ログイン・ログアウト処理手段１７Ａは、利用者によるログイン操作に応じて当該利用者より利用者ＩＤを取得してログインを許可する処理を行うと共に、ログアウト操作に応じて利用終了の処理を行うプログラムである。選曲楽曲登録手段１７Ｂは、楽曲を検索させ、選曲させるテーブルを備えて選曲された楽曲をカラオケ端末１２における予約待ち行列４１に登録するプログラムである。
【００２１】
上記カラオケ端末１２は、バス２０、中央制御部２１、ＲＯＭ２２、ＲＡＭ２３、映像表示制御手段２４、音楽演奏制御部２５、音源（シンセサイザ）２６、採点手段２７、送受信部２８Ａ，２８Ｂ、記憶部２９、利用者情報取得手段３１、照明制御送信部３２、検出手段としての照明タイミング検出手段３３及び照明制御手段３４を備える。上記ＲＡＭ２３には予約待ち行列４１、利用者情報４２及び演奏楽曲リファレンスデータ４３の記憶領域が形成され、利用者情報４２の記憶領域には利用者ＩＤの他に性別や年齢（生年月日）等の情報として記憶される。また、記憶部２９には、楽曲データベース（楽曲ＤＢ）５１、映像データベース（映像ＤＢ）５２及びリファレンスデータベース（リファレンスＤＢ）５３が記憶される。なお、上記各構成について、本発明の要旨と直接関連しない要素部分であっても、従前のカラオケシステムにおいても大部分が適用可能であることを示すために、構成要素の全体を説明する。
【００２２】
上記中央制御部２１は、このシステムを統括的に処理制御する物理的なＣＰＵであり、ＲＯＭ２２に記憶されているプログラムに基づくアルゴリズム処理を行う。上記ＲＡＭ２３は、予約待ち行列４１の記憶領域、利用者情報４２及び演奏楽曲リファレンスデータ４３の記憶領域が形成される他に、上記種々のプログラムを展開、実行させるための作業領域としての役割をなすもので、例えば半導体メモリで構成され、仮想的にハードディスク上に構築される場合をも含む概念である。
【００２３】
上記映像表示制御手段２４は、演奏時に、映像ＤＢ５２より抽出された背景映像及び楽曲ＤＢ５１より抽出された楽曲の歌詞データを表示部１３に出力するプログラム乃至電子回路である。また、映像表示制御手段２４は、カラオケルームの、例えば歌唱者の立つステージに相対する客席の天井等に設置された撮影装置（図示しない）により撮影された歌唱者の歌唱映像を表示部１３に出力することもできる。上記音楽演奏制御部２５は、例えばシーケンスプログラムを備え、楽曲ＩＤで楽曲ＤＢ５１より抽出された音符データに従って音源（シンセサイザ）２６を駆動するもので、当該音源２６の出力は演奏信号としてミキシングアンプ１４に出力される。
【００２４】
上記送受信部２８Ａは、遠隔入出力装置１７との間で有線方式ないし無線方式（ＩＲ方式やブルートゥース（登録商標）機構のピコネット接続方式など）を利用してデータ授受を行うためのもので、そのための電子回路及びプログラムである。上記送受信部２８Ｂは、カラオケ端末１２とサーバ６２とが通信ネットワーク６１を介してデータ授受を行うための物理的な通信用回路やプラットフォーム等のソフトウエアにより構成されるものである。
【００２５】
上記採点手段２７は、採点区間毎に、利用者による歌唱音声のピッチ等を検出して後述のリファレンスデータの各音高と比較することにより採点するもので、マイクロホン１５からの音声信号がミキシングアンプ１４をスルーして送られてくる音声信号に対してリファレンスＤＢ５３より読み出した歌唱採点するためのリファレンスデータに基づいて採点処理を行うプログラムである。具体的には、例えば特許第４２２２９１５号公報に記載されている手法を用いることができる。
【００２６】
上記記憶部２９に記憶されている楽曲ＤＢ５１は、楽曲毎に、音符データ、歌詞データなどを格納する。演奏に関して、具体的には、楽曲ＩＤ、曲名及びアーチストＩＤ（アーチスト名）が関連付けられた楽曲テーブルを有し、楽曲毎に、楽曲ＩＤで管理される所定データ形式のカラオケ楽曲の音符データ（例えば、ＭＩＤＩ（登録商標）形式の音符データ）等で構成される楽曲データ（ファイル）について当該楽曲ＩＤをファイル名としてそれぞれ格納したデータベースである。上記記憶部２９に記憶されている映像ＤＢ５２は、楽曲毎に応じた背景映像データについて楽曲ＩＤをファイル名としてそれぞれ格納したデータベースである。
【００２７】
上記利用者情報取得手段３１は、ログイン時に、取得した利用者ＩＤを送受信部２８Ｂ、通信ネットワーク６１を介してサーバ６２に対して当該利用者の利用者情報（年齢（生年月日）、性別等を含む）を要求し、サーバ６２により取得した利用者情報をＲＡＭ２３の利用者情報４２の記憶領域に記憶するプログラムである。なお、サーバ６２については図４で説明する。
【００２８】
上記照明制御送信部３２は、マイクロホン１５に対して当該マイクロホン１５に設けられた発光素子（図２に示す光源７８及び拡散レンズ７９）を照明制御するための照明制御信号を送信するプログラム乃至無線送信のための電子回路で構成される。上記照明タイミング検出手段３３は、後述の照明制御手段３４の上記発光素子に対する照明制御するタイミングを演奏楽曲に基づいて検出するプログラムである。具体的には、楽曲が演奏される際に、当該楽曲に対応するリファレンスデータがリファレンスＤＢ５３より読み出されてＲＡＭ２３に演奏楽曲リファレンスデータ４３として記憶され、当該演奏楽曲リファレンスデータ４３に基づいて前奏、間奏、終奏等のタイミングを検出する。
【００２９】
上記照明制御手段３４は、上記照明タイミング検出手段３３で検出されたタイミングに応じて、マイクロホン１５に設けられた上記発光素子に対して後述する所定の発光形態での点灯、消灯の照明制御信号を、照明制御送信部３２を介してマイクロホン１５に送信するプログラムである。詳細を図６及び図７で説明する。
【００３０】
ここで、図２に図１のマイクロホンの説明図を示すと共に、図３に図１のマイクロホンのブロック構成図を示す。まず、図２（Ａ）に示すように、マイクロホン１５は、マイク本体７１とマイクエレメントで構成される集音部７２により構成され、マイク本体７１の表面上には電源スイッチ７３、発光テストを行うためのテストスイッチ７４が設けられる。また、マイク本体７１の集音部７２近傍に、図２（Ｂ）に示すように、照明部７５がヒンジ機構７６により回動自在に取り付けられる。
【００３１】
具体的には、照明部７５は、例えば長さ４０ｍｍ、直径８ｍｍ程度の小さな筒状ケースをマイク本体７１表面に（長軸方向に）配設し、発光端を歌唱者の方向に向けウィンドスクリーン近傍に位置させて、他端をマイク本体７１表面に設けた調節手段であるヒンジ機構７６の止め部に軸支させて発光端を回動可能としている。すなわち、当該照明部７５を回動自在とすることで照明角度を調節させる。
【００３２】
図２（Ｃ）に示すように、筒状ケースの発光端には拡散レンズ７９が設けられ、ケース内部には拡散レンズ７９側に向けてフルカラーＬＥＤ（ＲＧＢの各ＬＥＤ）で構成される光源７８が設けられる。この光源７８となるフルカラーＬＥＤは、各ＬＥＤの輝度を、例えば駆動のデューティー比を制御することで種々の色（色調）が生成可能であり、従前よりの技術を適用することで実現することができる。ここでは、予め定めた各色調の発光形態（図７（Ａ）で説明する）を生成する輝度（色調）のそれぞれを各照明制御値としたテーブルを照明制御手段３４において備えているものとして説明する。
【００３３】
そして、図示しないが、フルカラーＬＥＤの光源７８を、マイク本体７１内部に設けた図３で示す照明制御部（８３）及び電源（８５）と接続する。なお、拡散レンズ７９の周囲は、マイクロホン１５を保持する歌唱者を撮影しているビデオカメラ等により光源が直接撮影されないような構造とする。上記光源７８及び拡散レンズ７９により発光素子を構成し、当該発光素子及び上記調節手段を構成するヒンジ機構７６により発光手段を構成する。
【００３４】
マイク本体７１の内部には、図３に示すように、音声処理部８１、音声送信部８２、照明制御部８３、照明制御受信部８４及び電源８５を有して構成される。上記音声処理部８１及び音声送信部８２は、従来のワイヤレス型のマイクロホンの備える構成と同様であり、説明を省略する。上記照明制御部８３は、照明制御受信部８４が受信したカラオケ端末１２の照明制御手段３４からの照明制御信号に応じて光源７８を発光駆動する電子回路である。
【００３５】
また、図４に、図１のサーバの説明図を示す。図４（Ａ）において、サーバ６２は、インターネットなどの通信ネットワーク６１を介して端末としての所定数のカラオケ端末１２（１２Ａ〜１２Ｎ）を管理し、当該各カラオケ端末１２に対する楽曲データの配信や各種データを送受する装置である。
【００３６】
サーバ６２は、図４（Ｂ）に示すように、少なくとも制御部９１、ネットワーク送受信部９２、利用者情報抽出手段９３及び利用者データベース（利用者ＤＢ）９４を備える。上記制御部９１は、当該サーバ６２を統括的に制御する物理的なＣＰＵであり、図示しないＲＯＭに格納されているプログラムを実行処理して統括的な処理を行う。
【００３７】
上記ネットワーク送受信部９２は、各カラオケ端末１２（１２Ａ〜１２Ｎ）との通信（データ授受）を行うために、通信ネットワーク６１の通信方式と整合性をとるための例えば物理的な通信用回路やプラットフォーム等のソフトウエアにより構成される。上記利用者情報抽出手段９３は、各カラオケ端末１２より送られてくる利用者ＩＤに基づいて、利用者ＤＢ９４より当該利用者の生年月日（年齢）や性別等の利用者情報を抽出し、ネットワーク送受信部９２を介して要求したカラオケ端末１２に送信するプログラムである。
【００３８】
上記利用者ＤＢ９４は、利用者の属性情報の利用者情報が利用者ＩＤと関連付けられて格納する記憶装置である。利用者情報としては、図４（Ｃ）に示すように、氏名、住所、セカンドネーム等の情報を少なくとも含む。
【００３９】
まず、図５に、カラオケシステムにおけるログイン時のフローチャートを示す。図５において、利用者による遠隔入出力装置１７を用いたログイン要求に応じてログイン・ログアウト処理手段１７Ａのログイン処理が開始され、利用者ＩＤの要求に対して当該利用者より利用者ＩＤを取得する（ステップ１（Ｓ１））。
【００４０】
ログイン処理が終了すると、利用者情報取得手段３１が取得した利用者ＩＤに基づいて、送受信部２８Ｂ、通信ネットワーク６１を介してサーバ６２に当該利用者の利用者情報（年齢（生年月日）、性別等を含む）を要求する（Ｓ２）。そして、サーバ６２より上記利用者情報を取得すると、ＲＡＭ２３の利用者情報４２の記憶領域に当該利用者ＩＤに関連付けて記憶する（Ｓ３）。なお複数の利用者がログインした場合には、それぞれの利用者ＩＤに対応した利用者情報を記憶する。
【００４１】
そこで、図６に図２及び図３のマイクロホンの備える発光素子の発光制御に関するフローチャートを示すと共に、図７に図６の発光形態、照明タイミングの説明図を示し、図８にマイクロホンにおける発光制御信号に応じた発光の処理フローチャートを示す。まず、利用者による楽曲選局でＲＡＭ２３の予約待ち行列４１に登録された楽曲の演奏待ちの状態、あるいは前曲演奏終了後の曲間において、予め照明制御手段３４がＲＡＭ２３に記憶された利用者情報４２を読み出し、マイクロホン１５の光源７８に対する当該利用者情報に応じた輝度若しくは色調の発光形態を決定し、その制御値を照明制御送信部３２より送信し、マイクロホン１５の照明制御受信部が制御値を受信する。
【００４２】
楽曲演奏が開始されると、演奏開始時に中央制御部２１の実行する処理において演奏楽曲のリファレンスデータをリファレンスＤＢ５３より読み出し、ＲＡＭ２３に演奏楽曲リファレンスデータ４３として記憶する共に、照明タイミングを特定する（Ｓ１１）。なお複数の利用者がログインしている場合には、予約を行った利用者の利用者情報を、楽曲毎に読み出す。
【００４３】
例えば、照明制御手段３４において、図７（Ａ）に示すような設定された発光形態のテーブルを参照して、利用者情報が「２０代女性」であれば、色調はごく薄いピンク色で輝度も控えめにして撮影映像が柔らかい印象になるような輝度（色調）の生成に対応した照明制御値（Ｃ２２）を特定し、「３０代男性」であれば、赤みがかった色で輝度（色調）をやや上げ彫りが深く精悍な印象になるような輝度の生成に対応した照明制御値（Ｃ３１）を特定し、「４０代女性」であれば、柔らかな白色光で陰影が付き難くしてシワが目立たなくなるような輝度（色調）の生成に対応した照明制御値（Ｃ４２）を特定する。
【００４４】
また、照明制御手段３４において、図７（Ｂ）に示すように、Ｔ１の歌唱開始（前奏終了）タイミングで発光「ＯＮ」、Ｔ２のファースト・コーラス終了（間奏開始）タイミングで発光「ＯＦＦ」、Ｔ３のセカンド・コーラス開始（間奏終了）タイミングで発光「ＯＮ」、Ｔ４の歌唱終了（後奏開始）タイミングで発光「ＯＦＦ」とする照明タイミングを決定する。
【００４５】
そこで、演奏開始より照明タイミング検出手段３３が、ＲＡＭ２３に記憶された当該楽曲の演奏楽曲リファレンスデータ４３を読み出し、当該リファレンスデータに基づいて演奏開始より予め設定したタイミングを検出していく（Ｓ１２）。予め設定したタイミングとしては、一例として、上記同様に、前奏終了（歌唱開始）、歌唱区間、間奏開始（ファースト・コーラス終了）、間奏終了（セカンド・コーラス開始）、歌唱区間、後奏開始（歌唱終了）のタイミングとしている。
【００４６】
そして、照明制御手段３４が、照明タイミング検出手段３３が検出したタイミングが上記決定した照明タイミングと合致する毎に発光を制御するための制御信号を、照明制御送信部３２を介してマイクロホン１５に送信する（Ｓ１３）。
【００４７】
マイクロホン１５では、図８に示すように、照明制御受信部８４が、カラオケ端末１２より送信されてきた照明制御信号を受信し（Ｓ２１）、光源７８を当該照明制御信号に応じたタイミングと先に受信した制御値に応じた発光形態に基づいて発光制御するものである（Ｓ２２）。
【００４８】
なお、上記実施形態では、照明タイミング検出手段３３が演奏楽曲リファレンスデータに基づいてタイミング検出した場合を示したが、楽曲ＤＢ５１より対応楽曲の歌詞データに基づいてタイミング検出させることとしても同様である。
【００４９】
次に、図９に、マイクロホンにおける発光素子の発光テストに関するフローチャートを示す。利用者により、歌唱前に、図２及び図３に示すマイクロホン１５のテスト発光させるためのテストスイッチ７４が操作されると、テスト信号を照明制御部８３が受信する（Ｓ３１）。そして、照明制御部８３が光源７８を予め予約を行った利用者の利用者情報に応じてカラオケ端末１２の照明制御送信部３２より受信しておいた制御値に基づいた発光形態で点灯制御を行う（Ｓ３２）。
【００５０】
これによって利用者は、自分のマイクロホン１５の持ち方に合わせて、テストスイッチ７４からテスト発光を指示してヒンジ機構７６で照明角度を調整したり、発光態様を確認したりできるものである。
【００５１】
次に、図１０に、図７の照明タイミングの他の設定におけるカラオケシステムの一部ブロック図を示す。図１０に示すカラオケシステム１１は、照明タイミング検出手段３３が、演奏楽曲リファレンスデータや歌詞データから歌唱区間情報を検出するのではなく、採点手段２７に入力される歌唱音声信号を取得して歌唱音声入力の有無を検出させ、照明制御手段３４が、照明タイミング検出手段３３で検出した歌唱音声入力のタイミングに応じて歌唱開始と同時に照明制御送信部３２からマイクロホン１５に対して光源７８を上述の発光形態で点灯発光させる照明制御信号を送信させる構成としたものである。この場合、利用者情報４２は利用されない。
【００５２】
ところで、カラオケシステム１１において、図１に示すように採点手段２７を備える構成である場合、又は、備えない場合には歌唱採点に関する採点手段２７を設け、照明タイミング検出手段３３が歌唱区間情報としての当該採点手段２７の歌唱採点区間ごとの採点結果から大きな歌唱ミスを検出した場合に、照明制御手段３４が、例えば顔色が青く見えるような発光形態に変化させる輝度（色調）の制御値を照明制御信号と共に照明制御送信部３２からマイクロホン１５に対して送信させる構成としてもよい。このような演出を施すことで、より娯楽性の高い映像を撮影することができるものである。
【００５３】
このように、利用者が歌唱時に必ずマイクロホン１５の先端を口（顔）に向けることから、マイクロホン１５に歌唱者の顔領域を照明する発光素子を設け、またヒンジ機構７６のような簡単な照明照射角度調節手段を設けることにより、確実に利用者の顔領域に照明を当てることができ、より完成度の高い歌唱映像を撮影し録画することができる。また、年齢（生年月日）や性別に合ったライティングにより、可愛く見せる、彫りを深くする、シワを目立たなくするなどの照明効果を期待でき、より完成度の高い歌唱映像を撮影し録画することができるものである。
【産業上の利用可能性】
【００５４】
本発明のカラオケシステムは、カラオケの基本的機能を備えるカラオケシステムの産業分野に利用可能である。
【符号の説明】
【００５５】
１１            カラオケシステム
１２            カラオケ端末
１５            マイクロホン
１７            遠隔入出力装置
１７Ａ          ログイン・ログアウト処理手段
１７Ｂ          選曲楽曲登録手段
２７            採点手段
３１            利用者情報取得手段
３２            照明制御送信部
３３            照明タイミング検出手段
３４            照明制御手段
５３            リファレンスデータベース
６２            サーバ
７１            マイク本体
７２            集音部
７４            テストスイッチ
７５            照明部
７６            ヒンジ機構
７８            光源
７９            拡散レンズ
８３            照明制御部
８４            照明制御受信部
９４            利用者データベース
【図１】
0006440434.tif 000002
【図２】
0006440434.tif 000003
【図３】
0006440434.tif 000004
【図４】
0006440434.tif 000005
【図５】
0006440434.tif 000006
【図６】
0006440434.tif 000007
【図７】
0006440434.tif 000008
【図８】
0006440434.tif 000009
【図９】
0006440434.tif 000010
【図１０】
0006440434.tif 000011